【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
画像情報を入力する画像入力手段と、
前記画像入力手段により入力された画像情報に関連したコメント情報を入力する情報入力手段と、
前記画像入力手段により入力された画像情報と、前記情報入力手段により入力された前記画像情報に対応するコメント情報とを対応付けて記憶する記憶手段と、
前記コメント情報に含まれる所定の項目に関連する情報を指定する指定手段と、
前記指定手段により指定された前記情報に対応する情報を有するコメント情報と、前記コメント情報に対応する画像情報とを前記画像記憶手段から抽出する抽出手段と、
前記抽出手段により抽出されたコメント情報と画像情報とを、前記コメント情報に含まれる所定の項目に従ってソートして出力するように制御する出力制御手段と、
を有することを特徴とするデータ処理装置。
【請求項２】
前記抽出手段により抽出された画像情報を、前記抽出手段により抽出された画像情報の数、及び出力する画面の大きさ或は印刷する用紙の大きさに対応付けて変倍する変倍手段を更に有することを特徴とする請求項１に記載のデータ処理装置。
【請求項３】
複数の画像情報のそれぞれを日付に関する日付情報に対応付けて記憶する記憶手段と、
前記日付情報に基づき、所定の期間毎に含まれる複数の画像情報の中から所定枚数の画像情報を選択する選択手段と、
前記選択手段により選択した前記所定の期間毎の画像情報を出力する出力手段と、
を有することを特徴とするデータ処理装置。
【請求項４】
前記所定の期間は、年、又は、月であることを特徴とする請求項３に記載のデータ処理装置。
【請求項５】
複数の画像情報のそれぞれを日付に関する日付情報と場所に関する場所情報とに対応付けて記憶する記憶手段と、
指定された場所情報に基づき、前記複数の画像情報の中から対応する画像情報を選択する選択手段と、
前記選択手段により選択した画像情報を、対応する日付情報に基づきソートするソート手段と、
前記ソート手段によりソートした前記画像情報を出力する出力手段と、
を有することを特徴とするデータ処理装置。
【請求項６】
画像情報を入力する画像入力工程と、
前記画像入力工程で入力された画像情報に関連したコメント情報を入力する情報入力工程と、
前記画像入力工程で入力された画像情報と、前記情報入力工程で入力された前記画像情報に対応するコメント情報とを対応付けて記憶手段に記憶する記憶工程と、
前記コメント情報に含まれる所定の項目に関連する情報を指定する指定工程と、
前記指定工程で指定された前記情報に対応する情報を有するコメント情報と、前記コメント情報に対応する画像情報とを前記記憶手段から抽出する抽出工程と、
前記抽出工程で抽出されたコメント情報と画像情報とを、前記コメント情報に含まれる所定の項目に従ってソートして出力するように制御する出力制御工程と、
を有することを特徴とするデータ処理方法。
【請求項７】
前記抽出工程で抽出された画像情報を、前記抽出工程で抽出された画像情報の数、及び出力する画面の大きさ或は印刷する用紙の大きさに対応付けて変倍する変倍工程を更に有することを特徴とする請求項６に記載のデータ処理方法。
【請求項８】
複数の画像情報のそれぞれを、日付に関する日付情報に対応付けて記憶手段に記憶する記憶工程と、
前記日付情報に基づき、所定の期間毎に含まれる複数の画像情報の中から所定枚数の画像情報を選択する選択工程と、
前記選択工程で選択した前記所定の期間毎の画像情報を出力する出力工程と、
を有することを特徴とするデータ処理方法。
【請求項９】
前記所定の期間は、年、又は、月であることを特徴とする請求項８に記載のデータ処理方法。
【請求項１０】
複数の画像情報のそれぞれを、日付に関する日付情報と場所に関する場所情報とに対応付けて記憶手段に記憶する記憶工程と、
指定された場所情報に基づき、前記複数の画像情報の中から対応する画像情報を選択する選択工程と、
前記選択工程で選択した画像情報を、対応する日付情報に基づきソートするソート工程と、
前記ソート工程でソートした前記画像情報を出力する出力工程と、
を有することを特徴とするデータ処理方法。
【手続補正２】
【補正対象書類名】明細書
【補正対象項目名】０００２
【補正方法】変更
【補正の内容】
【０００２】
【従来の技術】
従来、ワープロやパソコンなどにおいて、デジタルカメラやスキャナなどを用いて取り込んだ写真等の画像情報等を、一覧形式やアルバム形式で表示させるものがある。このような装置には、大容量のハードディスク等を備え、大量の画像情報を記憶できるものがある。
【手続補正３】
【補正対象書類名】明細書
【補正対象項目名】０００６
【補正方法】変更
【補正の内容】
【０００６】
【課題を解決するための手段】
上記目的を達成するために本発明のデータ処理装置は、
画像情報を入力する画像入力手段と、前記画像入力手段により入力された画像情報に関連したコメント情報を入力する情報入力手段と、前記画像入力手段により入力された画像情報と、前記情報入力手段により入力された前記画像情報に対応するコメント情報とを対応付けて記憶する記憶手段と、前記コメント情報に含まれる所定の項目に関連する情報を指定する指定手段と、前記指定手段により指定された前記情報に対応する情報を有するコメント情報と、前記コメント情報に対応する画像情報とを前記画像記憶手段から抽出する抽出手段と、前記抽出手段により抽出されたコメント情報と画像情報とを、前記コメント情報に含まれる所定の項目に従ってソートして出力するように制御する出力制御手段とを有することを特徴とする。
また、本発明のデータ処理装置は、
複数の画像情報のそれぞれを日付に関する日付情報に対応付けて記憶する記憶手段と、前記日付情報に基づき、所定の期間毎に含まれる複数の画像情報の中から所定枚数の画像情報を選択する選択手段と、前記選択手段により選択した前記所定の期間毎の画像情報を出力する出力手段とを有することを特徴とする。
また本発明のデータ処理装置は、
複数の画像情報のそれぞれを日付に関する日付情報と場所に関する場所情報とに対応付けて記憶する記憶手段と、指定された場所情報に基づき、前記複数の画像情報の中から対応する画像情報を選択する選択手段と、前記選択手段により選択した画像情報を、対応する日付情報に基づきソートするソート手段と、前記ソート手段によりソートした前記画像情報を出力する出力手段とを有することを特徴とする。
【手続補正４】
【補正対象書類名】明細書
【補正対象項目名】０００７
【補正方法】変更
【補正の内容】
【０００７】
上記目的を達成するために本発明のデータ処理方法は、
画像情報を入力する画像入力工程と、前記画像入力工程で入力された画像情報に関連したコメント情報を入力する情報入力工程と、前記画像入力工程で入力された画像情報と、前記情報入力工程で入力された前記画像情報に対応するコメント情報とを対応付けて記憶手段に記憶する記憶工程と、前記コメント情報に含まれる所定の項目に関連する情報を指定する指定工程と、前記指定工程で指定された前記情報に対応する情報を有するコメント情報と、前記コメント情報に対応する画像情報とを前記記憶手段から抽出する抽出工程と、前記抽出工程で抽出されたコメント情報と画像情報とを、前記コメント情報に含まれる所定の項目に従ってソートして出力するように制御する出力制御工程とを有することを特徴とする。
また、本発明のデータ処理方法は、
複数の画像情報のそれぞれを、日付に関する日付情報に対応付けて記憶手段に記憶する記憶工程と、前記日付情報に基づき、所定の期間毎に含まれる複数の画像情報の中から所定枚数の画像情報を選択する選択工程と、前記選択工程で選択した前記所定の期間毎の画像情報を出力する出力工程とを有することを特徴とする。
また、本発明のデータ処理方法は、
複数の画像情報のそれぞれを、日付に関する日付情報と場所に関する場所情報とに対応付けて記憶手段に記憶する記憶工程と、指定された場所情報に基づき、前記複数の画像情報の中から対応する画像情報を選択する選択工程と、前記選択工程で選択した画像情報を、対応する日付情報に基づきソートするソート工程と、前記ソート工程でソートした前記画像情報を出力する出力工程とを有することを特徴とする。